(57)【要約】【課題】不必要な情報の朗読を防止でき、また合成音声の不正な使用を防止できる記憶装置付き携帯端末装置を提供することを目的とする。【解決手段】携帯端末装置１と、携帯端末装置に対して着脱可能な記憶装置２とを備えた記憶装置付き携帯端末装置であって、記憶装置は、音素データベース保存部１２１と、合成目的データ保存部１２２と、端末装置インタフェース部１２０とを有し、携帯端末装置は、記憶装置インタフェース部１０３と、全体を制御するシステム制御部１０１と、合成目的データの範囲を選択する朗読選択処理部１１０と、インタフェース部を介して読み出した音素データベースおよび選択した範囲に基づいて読み出した合成目的データから合成音声データを生成する音声合成処理部１０２と、生成した合成音声データを入力して合成音声信号として出力する音声出力処理部１０４とを有する。【選択図】　図２
2004133119.tif 000002
【特許請求の範囲】
【請求項１】
携帯端末装置と、前記携帯端末装置に対して着脱可能な記憶装置とを備えた記憶装置付き携帯端末装置であって、
前記記憶装置は、音素データをデータベース化した音素データベースを保存する音素データベース保存部と、朗読対象となる合成目的データを保存する合成目的データ保存部と、前記携帯端末装置とデータの授受を行う端末装置インタフェース部とを有し、
前記携帯端末装置は、前記記憶装置とデータの授受を行う記憶装置インタフェース部と、全体を制御するシステム制御部と、前記合成目的データの範囲を選択する朗読選択処理部と、前記記憶装置インタフェース部と前記端末装置インタフェース部を介して前記音素データベース保存部から読み出した音素データベースおよび前記選択した範囲に基づいて前記合成目的データ保存部から読み出した合成目的データから合成音声データを生成する音声合成処理部と、前記生成した合成音声データを入力して合成音声信号として出力する音声出力処理部とを有することを特徴とする携帯端末装置。
【請求項２】
前記朗読選択処理部に代えて識別音合成処理部を備え、前記識別音合成処理部は、前記合成音声信号であること示す可聴範囲外の識別音信号を前記合成音声信号に含めることを特徴とする請求項１に記載の携帯端末装置。
【請求項３】
前記朗読選択処理部に代えて識別音合成処理部を備え、前記識別音合成処理部は、前記合成音声信号であること示す可聴範囲外の識別音信号を前記合成音声信号のすべてに渡り出力するのではなく、前記合成目的データ中にある識別符号をトリガとして前記合成音声信号に含めることを特徴とする請求項１に記載の携帯端末装置。
【発明の詳細な説明】
【０００１】
【発明の属する技術分野】
本発明は、朗読対象である合成目的データを記憶装置に保存し、その記憶装置から読み出した合成目的データを音声に変換する携帯端末装置に関するものである。
【０００２】
【従来の技術】
従来、電子メールやワープロの文章を読み上げる装置としては、記憶容量の豊富さや処理能力の高さ、ネットワーク機能の充実度等からパーソナルコンピュータにて実現していた。加えて、出力される合成音声の声色は男性や女性といった一般的なものであったが、人間の発声に近い合成音声を生成することができる音声合成方法も開示されている。すなわち、辞書の中に読み仮名、アクセント型等の情報をととも、アクセント指令値及び又は音韻継続時間長情報を予め用意しておき、音韻の継続時間長を用いて音素片データのパラメータ列を生成し、それらを基に音声波形を合成することにより、人間の発声に近い合成音声を出力するものである（例えば、特許文献１参照）。
【０００３】
しかしながら、パーソナルコンピュータを歩きながら使用することは、大きさ、重量の問題から大変不便であるし、その操作も容易とは言い難い面がある。また、朗読対象の合成目的データを音声変換するのみの機能であれば、コストパフォーマンスに欠けるという問題がある。また、出力される音声も男性や女性といった一般的なものであり、必ずしもユーザが所望する声色での音声出力ではないので、ユーザが聴いていて楽しさを感じにくい面があった。
【０００４】
そこで、これらの不具合を是正するための装置として、合成目的データを入力する入力部（メモリカードや光ディスク・磁気ディスク等の記憶装置から入力する入力部、ネットワークから入力する入力部、キーボードから入力する入力部等）と、音声合成された音を出力する出力部（スピーカやヘッドフォン）と、合成目的データから合成音声データを生成する音声合成処理部とを備えた携帯端末装置が提案されており、この携帯端末装置における音声合成処理部は、実際の人物の肉声をサンプリングし、そのサンプリングデータをデータベース化した音素データベースを使用する。また情報処理装置への取り付け取り外しが簡単で、小型の情報処理装置（小型パーソナルコンピユータ等）にも内蔵でき、且つ小型軽量で持ち運びができると共に単体でも文章読み上げ機能を持つＩＣカード形態の文章読み上げシステムが公知である。（例えば、特許文献２参照）
【０００５】
【特許文献１】
特開平７−１４０９９９号公報
【特許文献２】
特開平６−３３７７７４号公報
【０００６】
【発明が解決しようとする課題】
しかしながら、上記携帯端末装置では、合成目的データの作成年月日や筆者の経歴等の付帯情報を含む場合があり、これらも朗読されることになるが、ユーザにとっては必ずしも、その情報の朗読は必要なものではないという問題点を有していた。また、携帯端末装置から出力される合成音声は音素データベースの提供者である実際の人物の肉声に近い為、この装置の使用者が音素提供者になりすまし、音声認証等で不正使用を行う恐れがあった。
【０００７】
この記憶装置付き携帯端末装置では、不必要な情報の朗読を防止し、また合成音声の不正な使用を防止することが要求されている。
【０００８】
本発明は、この要求を満たすため、不必要な情報の朗読を防止することができ、また合成音声の不正な使用を防止することができる記憶装置付き携帯端末装置を提供することを目的とする。
【０００９】
【課題を解決するための手段】
上記課題を解決するために本発明の記憶装置付き携帯端末装置は、携帯端末装置と、携帯端末装置に対して着脱可能な記憶装置とを備えた記憶装置付き携帯端末装置であって、記憶装置は、音素データをデータベース化した音素データベースを保存する音素データベース保存部と、朗読対象となる合成目的データを保存する合成目的データ保存部と、携帯端末装置とデータの授受を行う端末装置インタフェース部とを有し、携帯端末装置は、記憶装置とデータの授受を行う記憶装置インタフェース部と、全体を制御するシステム制御部と、合成目的データの範囲を選択する朗読選択処理部と、記憶装置インタフェース部と端末装置インタフェース部を介して音素データベース保存部から読み出した音素データベースおよび選択した範囲に基づいて合成目的データ保存部から読み出した合成目的データから合成音声データを生成する音声合成処理部と、生成した合成音声データを入力して合成音声信号として出力する音声出力処理部とを有する構成を備えている。
【００１０】
これにより、不必要な情報の朗読を防止することができる記憶装置付き携帯端末装置が得られる。
【００１１】
【発明の実施の形態】
本発明の請求項１に記載の記憶装置付き携帯端末装置は、携帯端末装置と、携帯端末装置に対して着脱可能な記憶装置とを備えた記憶装置付き携帯端末装置であって、記憶装置は、音素データをデータベース化した音素データベースを保存する音素データベース保存部と、朗読対象となる合成目的データを保存する合成目的データ保存部と、携帯端末装置とデータの授受を行う端末装置インタフェース部とを有し、携帯端末装置は、記憶装置とデータの授受を行う記憶装置インタフェース部と、全体を制御するシステム制御部と、合成目的データの範囲を選択する朗読選択処理部と、記憶装置インタフェース部と端末装置インタフェース部を介して音素データベース保存部から読み出した音素データベースおよび選択した範囲に基づいて合成目的データ保存部から読み出した合成目的データから合成音声データを生成する音声合成処理部と、生成した合成音声データを入力して合成音声信号として出力する音声出力処理部とを有することとしたものである。
【００１２】
この構成により、ユーザーは朗読対象情報としての合成目的データの範囲を選択して自分に不要な部分の朗読を省く事ができるので、時間の無駄なく効率的に自分が所望する小説等の朗読を聴くことができるという作用を有する。
【００１３】
請求項２に記載の記憶装置付き携帯端末装置は、請求項１に記載の記憶装置付き携帯端末装置において、朗読選択処理部に代えて識別音合成処理部を備え、識別音合成処理部は、合成音声信号であること示す可聴範囲外の識別音信号を合成音声信号に含めることとしたものである。
【００１４】
この構成により、携帯端末装置からは音声合成の出力音声であることを示す可聴範囲外の識別音を含んだ合成音声が出力されるので、仮に出力音声が不正な目的で使用されても、音声認証装置に音声の周波数解析機能を備えることにより、実際の人物の肉声には無い識別音の周波数成分が含まれていることを検知することができるので、合成音声の不正な使用を防止することができるという作用を有する。
【００１５】
請求項３に記載の記憶装置付き携帯端末装置は、請求項１に記載の記憶装置付き携帯端末装置朗読選択処理部に代えて識別音合成処理部を備え、識別音合成処理部は、合成音声信号であること示す可聴範囲外の識別音信号を合成音声信号のすべてに渡り出力するのではなく、合成目的データ中にある識別符号をトリガとして合成音声信号に含めることとしたものである。
【００１６】
この構成により、仮に携帯端末装置の出力音声が不正な目的で使用されても、音声認証装置に音声の周波数解析機能を備えることにより、識別符号のある合成音声信号の周波数解析のみを行うだけで、実際の人物の肉声には無い識別音の周波数成分が含まれていることを検知することができるので、より少ない信号の周波数解析により、合成音声の不正な使用を防止することができるという作用を有する。
【００１７】
以下、本発明の実施の形態について、図１〜図６を用いて説明する。
【００１８】
（実施の形態１）
図１は、携帯端末装置、サーバ装置、パソコン等を有する通信システムを示す構成図である。
【００１９】
図１において、１は表示部や操作部、ヘッドフォン・スピーカ等の音声出力部等を備えた携帯端末装置、２は合成目的データ及び音素データベースを記憶するメモリカード等の記憶装置である。記憶装置２は、携帯端末装置１とは脱着可能である。記憶装置２には、小説等の合成目的データを保存する合成目的データ保存部（後述）と音素データから成る音素データベースを保存する音素データベース保存部がある。音素データベースは、すでに前述しているが、実際の人物の肉声をサンプリングしたもので、音素毎に音の継続時間長や基本周波数、パワー等の音に関する情報や、その音素が属するデータファイル名およびファイル中におけるその音素の開始位置や終了位置の情報等を、ラベル付けして、任意のフォーマットに沿った形でデータベース化されているものである。この音素データベースは、この携帯端末装置１から出力される合成音声の声色や抑揚を決定する重要な要素となる。３は合成目的データａや音素データベースｂを提供するインターネット５上のサーバ装置である。ここでは一つのサーバ装置しか記載してないが、複数のサーバ装置で合成目的データと音素データベースを分けて提供する場合もある。４は合成目的データａと音素データベースｂをインターネット５上のサーバ装置から公衆回線６を介してダウンロードし、記憶装置２に記憶させる為のパソコンである。
【００２０】
図１において、ユーザはまずパソコン４を通じ、自分が所望する小説等の合成目的データや音声キャラクタの音素データベースをインターネット５上のサーバ装置３からダウンロードし、パソコン４を通じてそのデータをメモリカード等の記憶装置２に記録する。次に、記憶装置２を携帯端末装置１に挿入し、携帯端末装置１上で朗読させる合成目的の部分を選択して再生の操作を行うと、携帯端末装置１上からユーザが所望するキャラクタの音声で選択した合成目的範囲のデータの音声合成音が出力される。
【００２１】
図２は、本発明の実施の形態１による記憶装置付き携帯端末装置を示すブロック図であり、図１の携帯端末装置１と記憶装置２を詳細に示す。
【００２２】
図２において、１は図１と同様の携帯端末装置、２は図１と同様の記憶装置、１０１は携帯端末装置１内の各処理部とデータのやり取りを行い、装置全体の制御を行うシステム制御部である。１０２は合成目的データの解析を行って、各文字データに最適な音素データを抽出および連結して合成音声データを生成し、そのデータを後述の音声出力処理部１０３に渡せるようにデータ変換する音声合成処理部、１０３はシステム制御部１０１から指示を受け、記憶装置２へのデータを読み書きする記憶装置インタフェース部（記憶装置Ｉ／Ｆ部）である。１０４は音声合成処理部１０２からデータを受け、データのフォーマット変換を行い、スピーカ１０８またはヘッドフォン（図示せず）に出力する音声出力処理部である。１０５は携帯端末装置１を制御するプログラムの保存領域やデータ処理の際の作業領域として用いられる記憶部、１０６はユーザが携帯端末装置１に自分の指示を与える操作部、１０７は携帯端末装置１の動作状態等をユーザに表示する表示部、１０９は携帯端末装置１に電源を供給する為の電源部、１１０はユーザが操作部１０６から選択した合成目的データの範囲選択情報に基づき、合成目的データの構成分析を行い、選択範囲の合成目的データの抽出を行う朗読選択処理部、１２０は記憶装置インタフェース部１０３と共に携帯端末装置１とデータのやり取りを行う端末装置インタフェース部（端末装置Ｉ／Ｆ部）、１２１は音素データベースを保存する音素データベース保存部、１２２は合成目的データを保存する合成目的データ保存部である。
【００２３】
このように構成された記憶装置付き携帯端末装置について、その動作を図３を用いて行う。図３は、図２の記憶装置付き携帯端末装置の動作（システム制御部１０１の動作）を示すフローチャートである。
【００２４】
ユーザが操作部１０６にて装置１の電源をオンすると、システム制御部１０１は、記憶装置インタフェース部１０３に指令を出し、記憶装置２が携帯端末装置１に接続しているか否かを調べさせる（Ｓ１）。接続していないと判定した場合は記憶部１０５からフォントデータを取り出し、表示部１０７に「メモリカードを挿入してください。」等のようなメッセージを表示し（Ｓ２）、ユーザに対して携帯端末装置１に記憶装置２の接続を行うように促す。接続していると判定した場合、システム制御部１０１は、操作部１０６から再生の操作が行われるのを待つ（Ｓ３）。再生の操作が行われると、「朗読する対象データを選択してください。１．全文（付帯情報付き）　２．本文のみ（付帯情報を除く）．．」等のメッセージを表示部に表示し（Ｓ４）、ユーザに合成目的データの朗読対象部分を選択させる（Ｓ５）。選択されたら、合成目的データの範囲選択情報を記憶部１０５に記憶する。次に、システム制御部１０１は、記憶装置インタフェース部１０３に対して、記憶装置２内にある合成目的データを読み出すように指令を出す。記憶装置インタフェース部１０３は、記憶装置２内にある端末装置インタフェース部１２０とやり取りをしながら合成目的データを読み出し、携帯端末装置１内の記憶部１０５に記録する（Ｓ６）。
【００２５】
次に、システム制御部１０１は、朗読選択処理部１１０に処理を開始させる。朗読選択処理部１１０は、記憶部１０５から合成目的データを読み出してデータの構成解析を行い、データをユーザの選択部分のみに最適化して記憶部１０５に記録する（Ｓ７）。例えば、ユーザからの選択情報が本文のみの場合であった場合は、その合成目的データの作者や作成年月日等の付帯情報等を省き、処理した合成目的データを改めて記憶部１０５に記憶する。次に、システム制御部１０１は、音声合成処理部１０２に指令を出し、処理を開始させる。音声合成処理部１０２は、記憶部１０５から朗読選択処理部１１０が処理した合成目的データを順次読み出しながら解析を行い、各文字データに最も適する音素データを記憶部１０５または記憶装置２から読み出して、繋ぎ合わせ、そのデータを音声出力処理部１０４が処理できるデータに変換して合成音声データを作成する（Ｓ８）。音声出力処理部１０４は、音声合成処理部１０２から合成音声データを受け取り、データをフォーマット変換し、スピーカ１０８またはヘッドフォンに出力する（Ｓ９）。
【００２６】
このようにしてユーザは所望するキャラクタ音声にて選択した範囲の合成目的データの朗読を聴くことができる。
【００２７】
以上のように本実施の形態によれば、記憶装置２は、音素データをデータベース化した音素データベースを保存する音素データベース保存部１２１と、朗読対象となる合成目的データを保存する合成目的データ保存部１２２と、携帯端末装置１とデータの授受を行う端末装置インタフェース部１２０とを有し、携帯端末装置１は、記憶装置２とデータの授受を行う記憶装置インタフェース部１０３と、全体を制御するシステム制御部１０１と、合成目的データの範囲を選択する朗読選択処理部１１０と、記憶装置インタフェース部１０３と端末装置インタフェース部１２０を介して音素データベース保存部１２１から読み出した音素データベースおよび選択した範囲に基づいて合成目的データ保存部１２２から読み出した合成目的データから合成音声データを生成する音声合成処理部１０２と、生成した合成音声データを入力して合成音声信号として出力する音声出力処理部１０４とを有することにより、ユーザーは朗読対象情報としての合成目的データの範囲を選択して自分に不要な部分の朗読を省く事ができるので、時間の無駄なく効率的に自分が所望する小説等の朗読を聴くことができる。
【００２８】
（実施の形態２）
本発明の実施の形態２による記憶装置付き携帯端末装置を有する通信システムの構成は実施の形態１と同様、図１の構成である。
【００２９】
図４は、本発明の実施の形態２による記憶装置付き携帯端末装置を示すブロック図であり、図１の携帯端末装置１と記憶装置２を詳細に示す。
【００３０】
図４において、システム制御部１０１、音声合成処理部１０２、記憶装置インタフェース部１０３、音声出力処理部１０４、記憶部１０５、操作部１０６、表示部１０７、スピーカ１０８、電源部１０９、端末装置インタフェース部１２０、音素データベース保存部１２１、合成目的データ保存部１２２は、図２と同様のものなので、同一符号を付し、説明は省略する。１１１は音声出力処理部１０４から出力される合成音声信号に識別音信号を合成する識別音合成処理部である。
【００３１】
このように構成された記憶装置付き携帯端末装置について、その動作を図５を用いて説明する。図５は、図４の記憶装置付き携帯端末装置の動作（システム制御部１０１の動作）を示すフローチャートである。
【００３２】
ユーザが操作部１０６にて装置１の電源をオンすると、システム制御部１０１は、記憶装置インタフェース部１０３に指令を出し、記憶装置２が携帯端末装置１に接続しているか否かを調べる（Ｓ１１）。接続していないと判定した場合は記憶部１０５からフォントデータを取り出し、表示部１０７に「メモリカードを挿入してください。」等のようなメッセージを表示し（Ｓ１２）、ユーザに対して携帯端末装置１に記憶装置２の接続を行うように促す。接続していると判定した場合、システム制御部１０１は操作部１０６から再生の操作が行われるのを待つ（Ｓ１３）。再生の操作が行われると、システム制御部１０１は、記憶装置インタフェース部１０３に対して、記憶装置２内にある合成目的データを読み出すように指令を出す。記憶装置インタフェース部１０３は、記憶装置２内にある端末装置インタフェース部１２０とやり取りをしながら合成目的データを読み出し、携帯端末装置１内の記憶部１０５に記録する（Ｓ１４）。
【００３３】
次に、システム制御部１０１は、音声合成処理部１０２に指令を出し、処理を開始させる。音声合成処理部１０２は、記憶部１０５から合成目的データを順次読み出しながら解析を行い、各文字データに最も適する音素データを記憶部１０５または記憶装置２から読み出して、繋ぎ合わせ、音声出力処理部１０４が処理できるデータに変換を行って、そのデータを記憶部１０５に記憶する（Ｓ１５）。続いて、システム制御部１０１は、ステップＳ１５で処理したデータを記憶部１０５から読み出し、データを音声出力処理部１０４に渡す。そして、識別音合成処理部１１１に指令を出し、処理を開始させる。識別音合成処理部１１１は、音声出力処理部１０４より出力される信号（合成音声信号）に可聴範囲外の識別音信号を合成し（Ｓ１６）、スピーカ１０８またはヘッドフォンに出力する（Ｓ１７）。
【００３４】
このようにして合成音声信号に可聴範囲外の識別音信号を合成させることにより、実際の人物の肉声には無い周波数成分を含めることができるので、音声認証装置において、この装置１の出力音声を使用不可能とすることができ、不正な使用を防ぐことができる。
【００３５】
以上のように本実施の形態によれば、識別音合成処理部１１１は、合成音声信号であること示す可聴範囲外の識別音信号を合成音声信号に含めることにより、携帯端末装置１からは音声合成の出力音声であることを示す可聴範囲外の識別音を含んだ合成音声が出力されるので、仮に出力音声が不正な目的で使用されても、音声認証装置に音声の周波数解析機能を備えることにより、実際の人物の肉声には無い識別音の周波数成分が含まれていることを検知することができるので、合成音声の不正な使用を防止することができる。
【００３６】
（実施の形態３）
本発明の実施の形態３による記憶装置付き携帯端末装置を有する通信システムの構成は実施の形態１と同様、図１の構成である。また、本発明の実施の形態３による記憶装置付き携帯端末装置の構成は実施の形態２と同様、図４の構成である。
【００３７】
このように構成された記憶装置付き携帯端末装置について、その動作を図６を用いて説明する。図６は、図４の記憶装置付き携帯端末装置の動作（システム制御部１０１の動作）を示すフローチャートである。なお、図６のステップＳ２１〜Ｓ２４は図５のステップＳ１１〜Ｓ１４と同様であるので、その説明は省略する。
【００３８】
図６において、システム制御部１０１は、音声合成処理部１０２に指令を出し、処理を開始させる。音声合成処理部１０２は、記憶部１０５から合成目的データを順次読み出しながら解析を行う（Ｓ２５）。そして、読み出した合成目的データの内容が識別符号（識別符号は、ここではテキストデータを意味する合成目的データの任意の場所に手作業により入力される）か否かを判定する（Ｓ２６）。合成目的データの内容が識別符号でないと判定した場合、各文字データに最も適する音素データを記憶部１０５または記憶装置２から読み出し抽出する（Ｓ２７）。識別符号と判定した場合、この処理はない。抽出されたデータ及び識別符号は次々に繋ぎ合わせられ、記憶部１０５に保存される（Ｓ２８）。
【００３９】
次に、システム制御部１０１は、記憶部１０５からステップＳ２８で処理したデータ（合成音声データ）を読み出す。そして、読み出したデータの内容が識別符号か否かをを判定する（Ｓ２９）。識別符号でないと判定した場合、データを音声出力処理部１０４に渡す（Ｓ３０）。音声出力処理部１０４は、受け取ったデータをフォーマット変換し、スピーカ１０８またはヘッドフォンに出力する（Ｓ３３）。識別符号であると判定した場合、システム制御部１０１は、識別音合成処理部１１１をアクティブにする（Ｓ３１）。識別音合成処理部１１１は、音声出力処理部１０４より出力される合成音声信号に可聴範囲外の識別音信号を合成し（Ｓ３２）、スピーカ１０８またはヘッドフォンに出力させる（Ｓ３３）。
【００４０】
このようにして合成音声信号に可聴範囲外の識別音信号を合成させることにより、実際の人物の肉声には無い周波数成分を含めることができるので、音声認証装置において、この装置１の出力音声を使用不可能とすることができ、不正な使用を防ぐことができる。
【００４１】
以上のように本実施の形態によれば、識別音合成処理部１１１は、合成音声信号であること示す可聴範囲外の識別音信号を合成音声信号のすべてに渡り出力するのではなく、合成目的データ中にある識別符号をトリガとして合成音声信号に含めることにより、仮に携帯端末装置１の出力音声が不正な目的で使用されても、音声認証装置に音声の周波数解析機能を備えることにより、識別符号のある合成音声信号の周波数解析のみを行うだけで、実際の人物の肉声には無い識別音の周波数成分が含まれていることを検知することができるので、より少ない信号の周波数解析により、合成音声の不正な使用を防止することができる。
【００４２】
【発明の効果】
以上説明したように本発明の請求項１に記載の記憶装置付き携帯携帯端末装置によれば、携帯端末装置と、携帯端末装置に対して着脱可能な記憶装置とを備えた記憶装置付き携帯端末装置であって、記憶装置は、音素データをデータベース化した音素データベースを保存する音素データベース保存部と、朗読対象となる合成目的データを保存する合成目的データ保存部と、携帯端末装置とデータの授受を行う端末装置インタフェース部とを有し、携帯端末装置は、記憶装置とデータの授受を行う記憶装置インタフェース部と、全体を制御するシステム制御部と、合成目的データの範囲を選択する朗読選択処理部と、記憶装置インタフェース部と端末装置インタフェース部を介して音素データベース保存部から読み出した音素データベースおよび選択した範囲に基づいて合成目的データ保存部から読み出した合成目的データから合成音声データを生成する音声合成処理部と、生成した合成音声データを入力して合成音声信号として出力する音声出力処理部とを有することにより、ユーザーは朗読対象情報としての合成目的データの範囲を選択して自分に不要な部分の朗読を省く事ができるので、時間の無駄なく効率的に自分が所望する小説等の朗読を聴くことができるという有利な効果が得られる。
【００４３】
請求項２に記載の記憶装置付き携帯端末装置によれば、請求項１に記載の記憶装置付き携帯端末装置において、朗読選択処理部に代えて識別音合成処理部を備え、識別音合成処理部は、合成音声信号であること示す可聴範囲外の識別音信号を合成音声信号に含めることにより、携帯端末装置からは音声合成の出力音声であることを示す可聴範囲外の識別音を含んだ合成音声が出力されるので、仮に出力音声が不正な目的で使用されても、音声認証装置に音声の周波数解析機能を備えることにより、実際の人物の肉声には無い識別音の周波数成分が含まれていることを検知することができるので、合成音声の不正な使用を防止することができるという有利な効果が得られる。
【００４４】
請求項３に記載の記憶装置付き携帯端末装置によれば、請求項１に記載の記憶装置付き携帯端末装置朗読選択処理部に代えて識別音合成処理部を備え、識別音合成処理部は、合成音声信号であること示す可聴範囲外の識別音信号を合成音声信号のすべてに渡り出力するのではなく、合成目的データ中にある識別符号をトリガとして合成音声信号に含めることにより、仮に携帯端末装置の出力音声が不正な目的で使用されても、音声認証装置に音声の周波数解析機能を備えることにより、識別符号のある合成音声信号の周波数解析のみを行うだけで、実際の人物の肉声には無い識別音の周波数成分が含まれていることを検知することができるので、より少ない信号の周波数解析により、合成音声の不正な使用を防止することができるという有利な効果が得られる。
【図面の簡単な説明】
【図１】携帯端末装置、サーバ装置、パソコン等を有する通信システムを示す構成図
【図２】本発明の実施の形態１による記憶装置付き携帯端末装置を示すブロック図
【図３】図２の記憶装置付き携帯端末装置の動作を示すフローチャート
【図４】本発明の実施の形態２、３による記憶装置付き携帯端末装置を示すブロック図
【図５】図４の記憶装置付き携帯端末装置の動作を示すフローチャート
【図６】図４の記憶装置付き携帯端末装置の動作を示すフローチャート
【符号の説明】
１　携帯端末装置
２　記録装置
３　サーバ装置
４　パソコン
５　インターネット
６　公衆回線
１０１　システム制御部
１０２　音声合成処理部
１０３　記憶装置インタフェース部
１０４　音声出力処理部
１０５　記憶部
１０６　操作部
１０７　表示部
１０８　スピーカ
１０９　電源部
１１０　朗読選択処理部
１１１　識別音合成処理部
１２０　端末装置インタフェース部
１２１　音素データベース保存部
１２２　合成目的データ保存部
【図１】
2004133119.tif 000003
【図２】
2004133119.tif 000004
【図３】
2004133119.tif 000005
【図４】
2004133119.tif 000006
【図５】
2004133119.tif 000007
【図６】
2004133119.tif 000008